(57)【要約】本明細書は、無線接続システムで、固定リソース割当方法において、固定リソース割当情報を含む第１のマップメッセージを基地局から受信するステップと、前記固定リソース割当情報に含まれた固定リソース領域を通じて前記基地局とデータバーストを送受信するステップと、固定リソース割当解除タイプ情報を含む第２のマップメッセージを基地局から受信するステップと、を含み、前記固定リソース割当解除タイプ情報は、固定的に割り当てられたリソースの割当解除が永久的（ｐｅｒｍａｎｅｎｔ）割当解除であるか、または一時的（ｔｅｍｐｏｒａｌ）割当解除であるかを指示する情報であることを特徴とする。【選択図】図２
2013524719.tif 000002
【特許請求の範囲】
【請求項１】
無線接続システムで、固定リソース割当方法において、
固定リソース割当情報を含む第１のマップメッセージを基地局から受信するステップと、
前記固定リソース割当情報に含まれた固定リソース領域を通じて前記基地局とデータバーストを送受信するステップと、
固定リソース割当解除タイプ情報を含む第２のマップメッセージを基地局から受信するステップと、を含み、
前記固定リソース割当解除タイプ情報は、固定的に割り当てられたリソースの割当解除が永久的（ｐｅｒｍａｎｅｎｔ）割当解除であるか、または一時的（ｔｅｍｐｏｒａｌ）割当解除であるかを指示する情報であることを特徴とする、方法。
【請求項２】
前記固定リソース割当情報は、固定リソース割当周期情報（Ａｌｌｏｃａｔｉｏｎ  ｐｅｒｉｏｄ）をさらに含み、
前記固定リソース割当周期情報が、固定的に割り当てられたリソースの割当解除を指示する場合、前記固定リソース割当解除タイプ情報が前記第２のマップメッセージに含まれることを特徴とする、請求項１に記載の方法。
【請求項３】
前記固定割当解除タイプ情報が、固定的に割り当てられたリソースの一時的割当解除を指示する場合、前記第２のマップメッセージは、固定リソース割当解除区間情報（Ｎｕｍ  ｄｅ−ａｌｌｏｃａｔｉｏｎ）をさらに含むことを特徴とする、請求項１に記載の方法。
【請求項４】
前記固定リソース割当解除区間情報は、前記一時的割当解除が持続する区間の長さを示し、前記区間の長さは、フレーム単位で定義されることを特徴とする、請求項３に記載の方法。
【請求項５】
前記固定リソース割当解除区間の後に、前記第１のマップメッセージに含まれた固定リソース領域を通じて前記基地局とデータバーストを送受信することを特徴とする、請求項３に記載の方法。
【請求項６】
前記固定リソース割当解除区間においてリソース割当情報を含む第３のマップメッセージを前記基地局から受信するステップと、
前記リソース割当情報に含まれたリソース割当領域を通じて、前記基地局へアップリンクデータバーストを伝送するステップとをさらに含んでなることを特徴とする、請求項１に記載の方法。
【請求項７】
前記第１のマップメッセージ及び第２のマップメッセージは、固定割当Ａ−ＭＡＰ（Ｐｅｒｓｉｓｔｅｎｔ  Ａｌｌｏｃａｔｉｏｎ  Ａ−ＭＡＰ）であることを特徴とする、請求項１に記載の方法。
【請求項８】
前記第３のマップメッセージは、基本割当マップ情報要素（Ｂａｓｉｃ  Ａｓｓｉｇｎｍｅｎｔ  Ａ−ＭＡＰ  ＩＥ）であることを特徴とする、請求項６に記載の方法。
【請求項９】
前記一時的割当解除は、一回のリソース割当解除（ｏｎｅ  ｔｉｍｅ  ｄｅ−ａｌｌｏｃａｔｉｏｎ）であることを特徴とする、請求項１又は５に記載の方法。
【請求項１０】
無線接続システムで、固定リソース割当を行う端末において、
外部と無線信号を送受信するための無線通信部と、
前記無線通信部と接続されている制御部と、を含み、
前記制御部は、
固定リソース割当情報を含む第１のマップメッセージを基地局から受信するように前記無線通信部を制御し、前記固定リソース割当情報に含まれた固定リソース領域を通じて、前記基地局とデータバーストを送受信するように前記無線通信部を制御し、固定リソース割当解除タイプ情報を含む第２のマップメッセージを基地局から受信するように前記無線通信部を制御し、
前記固定リソース割当解除タイプ情報は、固定的に割り当てられたリソースの割当解除が、永久的（ｐｅｒｍａｎｅｎｔ）割当解除であるか、または一時的（ｔｅｍｐｏｒａｌ）割当解除であるかを指示する情報であることを特徴とする、端末。
【請求項１１】
前記固定リソース割当情報は、固定リソース割当周期情報（Ａｌｌｏｃａｔｉｏｎ  ｐｅｒｉｏｄ）をさらに含み、
前記固定リソース割当周期情報が、固定的に割り当てられたリソースの割当解除を指示する場合、前記固定リソース割当解除タイプ情報が前記第２のマップメッセージに含まれることを特徴とする、請求項１０に記載の端末。
【請求項１２】
前記固定割当解除タイプ情報が、固定的に割り当てられたリソースの一時的割当解除を指示する場合、前記第２のマップメッセージは、固定リソース割当解除区間情報（Ｎｕｍ  ｄｅ−ａｌｌｏｃａｔｉｏｎ）をさらに含むことを特徴とする、請求項１０に記載の端末。
【請求項１３】
前記固定リソース割当解除区間情報は、前記一時的割当解除が持続する区間の長さを示し、前記区間の長さは、フレーム単位で定義されることを特徴とする、請求項１２に記載の端末。
【請求項１４】
前記制御部は、
前記固定リソース割当解除区間の後に、前記第１のマップメッセージに含まれた固定リソース領域を通じて前記基地局とデータバーストを送受信するように前記無線通信部を制御することを特徴とする、請求項１２に記載の端末。
【請求項１５】
前記制御部は、
前記固定リソース割当解除区間においてリソース割当情報を含む第３のマップメッセージを前記基地局から受信するように前記無線通信部を制御し、前記リソース割当情報に含まれたリソース割当領域を通じて、前記基地局へアップリンクデータバーストを伝送するように前記無線通信部を制御することを特徴とする、請求項１０に記載の端末。
【請求項１６】
前記第１のマップメッセージ及び第２のマップメッセージは、固定割当Ａ−ＭＡＰ（Ｐｅｒｓｉｓｔｅｎｔ  Ａｌｌｏｃａｔｉｏｎ  Ａ−ＭＡＰ）であることを特徴とする、請求項１０に記載の端末。
【請求項１７】
前記第３のマップメッセージは、基本割当マップ情報要素（Ｂａｓｉｃ  Ａｓｓｉｇｎｍｅｎｔ  Ａ−ＭＡＰ  ＩＥ）であることを特徴とする、請求項１５に記載の端末。
【請求項１８】
前記一時的割当解除は、一回のリソース割当解除（ｏｎｅ  ｔｉｍｅ  ｄｅ−ａｌｌｏｃａｔｉｏｎ）であることを特徴とする、請求項１０又は１４に記載の端末。
【発明の詳細な説明】
【技術分野】
【０００１】
本明細書は、無線接続システムに係り、特に、固定的にリソースを割り当てる方法及び装置に関する。
【背景技術】
【０００２】
図１は、フレーム構造の一例を示す。
【０００３】
図１を参照すると、スーパーフレーム（ＳＦ；Ｓｕｐｅｒｆｒａｍｅ）は、スーパーフレームヘッダー（ＳＦＨ；Ｓｕｐｅｒｆｒａｍｅ  Ｈｅａｄｅｒ）及び４個のフレーム（ｆｒａｍｅ）Ｆ０，Ｆ１，Ｆ２，Ｆ３を含む。スーパーフレーム内の各フレームの長さは、全て同一であってもよい。各スーパーフレームの大きさは、２０ｍｓであり、各フレームの大きさは、５ｍｓであると例示しているが、これに限定されるものではない。スーパーフレームの長さ、スーパーフレームに含まれるフレームの数、フレームに含まれるサブフレームの数などは多様に変更可能である。フレームに含まれるサブフレームの数は、チャンネル帯域幅（ｃｈａｎｎｅｌ  ｂａｎｄｗｉｄｔｈ）、ＣＰ（Ｃｙｃｌｉｃ  Ｐｒｅｆｉｘ）長によって多様に変更可能である。
【０００４】
一つのフレームは、多数のサブフレーム（ｓｕｂｆｒａｍｅ）ＳＦ０、ＳＦ１、ＳＦ２、ＳＦ３、ＳＦ４、ＳＦ５、ＳＦ６、ＳＦ７を含む。各サブフレームは、アップリンクまたはダウンリンク伝送のために使用されることができる。一つのサブフレームは、時間領域（ｔｉｍｅ  ｄｏｍａｉｎ）において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルまたはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を含み、周波数領域（ｆｒｅｑｕｅｎｃｙ  ｄｏｍａｉｎ）において複数の副搬送波（ｓｕｂｃａｒｒｉｅｒ）を含む。
【０００５】
ＯＦＤＭシンボルは、一つのシンボル区間（ｓｙｍｂｏｌ  ｐｅｒｉｏｄ）を表現するためのもので、多重接続方式によってＯＦＤＭＡシンボル、ＳＣ−ＦＤＭＡシンボルなどの他の名称で呼ばれてもよい。
【０００６】
サブフレームは、５、６、７または９個のＯＦＤＭＡシンボルで構成され得るが、これは例示に過ぎず、サブフレームに含まれるＯＦＤＭＡシンボルの数は制限されない。サブフレームに含まれるＯＦＤＭＡシンボルの数は、チャンネル帯域幅、ＣＰ長によって多様に変更可能である。
【０００７】
サブフレームが含むＯＦＤＭＡシンボルの数によってサブフレームのタイプ（ｔｙｐｅ）を定義できる。例えば、タイプ−１のサブフレームは６ＯＦＤＭＡシンボル、タイプ−２のサブフレームは７ＯＦＤＭＡシンボル、タイプ−３のサブフレームは５ＯＦＤＭＡシンボル、タイプ−４のサブフレームは９ＯＦＤＭＡシンボルを含むと定義できる。一つのフレームは、全て同じタイプのサブフレームを含むことができる。または一つのフレームは、互いに異なるタイプのサブフレームを含むことができる。すなわち、一つのフレーム内の各サブフレームごとに含むＯＦＤＭＡシンボルの個数は、全て同一であってもよく、またはそれぞれ異なってもよい。または、一つのフレーム内の少なくとも一つのサブフレームのＯＦＤＭＡシンボルの個数は、前記フレーム内の残りのサブフレームのＯＦＤＭＡシンボルの個数と異なってもよい。
【０００８】
フレームには、ＴＤＤ（Ｔｉｍｅ  Ｄｉｖｉｓｉｏｎ  Ｄｕｐｌｅｘ）方式またはＦＤＤ（Ｆｒｅｑｕｅｎｃｙ  Ｄｉｖｉｓｉｏｎ  Ｄｕｐｌｅｘ）方式が適用されることができる。ＴＤＤ方式において、各サブフレームが、同一の周波数で互いに異なる時間にアップリンク伝送またはダウンリンク伝送のために使用される。
【０００９】
すなわち、ＴＤＤ方式のフレーム内のサブフレームは、時間領域においてアップリンクサブフレームとダウンリンクサブフレームとに区分される。ＦＤＤ方式において、各サブフレームが、同一の時間の互いに異なる周波数でアップリンク伝送またはダウンリンク伝送のために使用される。
【００１０】
すなわち、ＦＤＤ方式のフレーム内のサブフレームは、周波数領域においてアップリンクサブフレームとダウンリンクサブフレームとに区分される。アップリンク伝送とダウンリンク伝送は、互いに異なる周波数帯域を占め、同時に行われることができる。
【００１１】
ＳＦＨは、必須システムパラメータ（ｅｓｓｅｎｔｉａｌ  ｓｙｓｔｅｍ  ｐａｒａｍｅｔｅｒ）及びシステム設定情報（ｓｙｓｔｅｍ  ｃｏｎｆｉｇｕｒａｔｉｏｎ  ｉｎｆｏｒｍａｔｉｏｎ）を運ぶことができる。ＳＦＨは、スーパーフレーム内の最初のサブフレーム中に位置することができる。ＳＦＨは、前記最初のサブフレームの最後の５個のＯＦＤＭＡシンボルを占めることができる。
【００１２】
スーパーフレームヘッダーは、プライマリーＳＦＨ（Ｐ−ＳＦＨ；ｐｒｉｍａｒｙ−ＳＦＨ）及びセカンダリーＳＦＨ（Ｓ−ＳＦＨ；ｓｅｃｏｎｄａｒｙ−ＳＦＨ）に分類されることができる。Ｐ−ＳＦＨとＳ−ＳＦＨは、毎スーパーフレームごとに伝送されることができる。Ｓ−ＳＦＨは、２個の連続したスーパーフレームで伝送されることができる。Ｓ−ＳＦＨに伝送される情報は、Ｓ−ＳＦＨ  ＳＰ１、Ｓ−ＳＦＨ  ＳＰ２、Ｓ−ＳＦＨ  ＳＰ３の３個のサブパケット（ｓｕｂ−ｐａｃｋｅｔ）に分けられる。各サブパケットは、互いに異なる周期をもって周期的に伝送されることができる。Ｓ−ＳＦＨ  ＳＰ１、Ｓ−ＳＦＨ  ＳＰ２及びＳ−ＳＦＨ  ＳＰ３を通じて伝送される情報の重要度は互いに異なってもよく、Ｓ−ＳＦＨ  ＳＰ１が最も短い周期で、Ｓ−ＳＦＨ  ＳＰ３が最も長い周期で伝送されることができる。
【００１３】
Ｓ−ＳＦＨ  ＳＰ１は、ネットワーク再進入（ｎｅｔｗｏｒｋ  ｒｅ−ｅｎｔｒｙ）に関する情報を含む。Ｓ−ＳＦＨ  ＳＰ２は、初期ネットワーク進入（ｉｎｉｔｉａｌ  ｎｅｔｗｏｒｋ  ｅｎｔｒｙ）及びネットワーク探索（ｎｅｔｗｏｒｋ  ｄｉｓｃｏｖｅｒｙ）に関する情報を含む。Ｓ−ＳＦＨ  ＳＰ３は、残りの重要なシステム情報を含む。
【００１４】
一つのＯＦＤＭＡシンボルは、複数の副搬送波を含み、ＦＦＴの大きさによって副搬送波の個数が決定される。いくつかの類型の副搬送波がある。副搬送波の類型は、データ伝送のためのデータ副搬送波、多様な測定（ｅｓｔｉｍａｔｉｏｎ）のためのパイロット副搬送波、ガードバンド（ｇｕａｒｄ  ｂａｎｄ）及びＤＣキャリアのためのヌルキャリア（ｎｕｌｌ  ｃａｒｒｉｅｒ）に分けられる。
【００１５】
機器間通信（Ｍ２Ｍ）
機器間通信（Ｍ２Ｍ）について簡略に説明する。
【００１６】
機器間通信（Ｍａｃｈｉｎｅ  ｔｏ  Ｍａｃｈｉｎｅ：Ｍ２Ｍ）とは、文字通り、電子装置と電子装置間の通信を意味する。すなわち、事物間の通信を意味する。一般に、電子装置間の有線または無線通信や、人が制御する装置と機械間の通信を意味するが、電子装置と電子装置間、すなわち、機器間の無線通信を特に指す意味として用いられる。また、セルラネットワークで使用されるＭ２Ｍ端末は、一般的な端末より性能や能力が劣る。
【００１７】
また、Ｍ２Ｍ環境の特徴は、下記の通りである。
【００１８】
１．セル内の多数の端末
２．少ないデータ量
３．低い伝送頻度
４．制限された数のデータ特性
５．時間遅延に敏感でない
セル内には多数の端末が存在し、端末は、端末のｔｙｐｅ、ｃｌａｓｓ、ｓｅｒｖｉｃｅ  ｔｙｐｅなどによって互いに区分されることができる。特に、ｍａｃｈｉｎｅ  ｔｏ  ｍａｃｈｉｎｅ（Ｍ２Ｍ）  ｃｏｍｍｕｎｉｃａｔｉｏｎ（またはｍａｃｈｉｎｅ  ｔｙｐｅ  ｃｏｍｍｕｎｉｃａｔｉｏｎ（ＭＴＣ））が考慮されると、全体的な端末の数は急激に増加することができる。Ｍ２Ｍ端末は、支援するｓｅｒｖｉｃｅによって、次のような特性を有することができる。
【００１９】
１．間歇的にデータを伝送する。このとき、周期性を有してもよい。
【００２０】
２．Ｌｏｗ  ｍｏｂｉｌｉｔｙを有していたり、固定されている。
【００２１】
３．信号伝送におけるｌａｔｅｎｃｙに一般的に敏感でない
上記の特性を有するセル内の多数のＭ２Ｍ端末は、相互間にｍｕｌｔｉ−ｈｏｐ構成を用いたり、階層的構造を用いたりして、端末間にまたは基地局へ信号を伝送したり、伝送を受けることができる。
【００２２】
すなわち、基地局から信号を受信して他の層または下位に存在するＭ２Ｍ端末にｄａｔａを伝送したり、他のＭ２Ｍ端末から信号を受信して他のＭ２Ｍ端末や基地局に信号を送信することができる。または、リレーを使用せずに、端末間に直接通信を行ってもよい。
【００２３】
このような包括的な意味のＭ２Ｍ端末間の信号伝送のために、それぞれのＭ２Ｍ端末は、互いに上／下位の構造の形態で接続されて信号を伝送することができる。（端末間に直接通信する場合は、上／下位の概念がないこともあるが、上／下位の概念を同一に適用して説明することも可能である。）
一例として、ダウンリンク伝送の観点で、基地局が伝送した信号を、ＭＳ  １が受信し、これをＭＳ  ２に伝送する。そして、このとき、ＭＳ  １は、ＭＳ  ２だけでなく、下位の他の端末ＭＳにも信号を伝送することができる。ここで、ＭＳ  ２は、ＭＳ  １の下位にある端末のことをいう。
【００２４】
ＭＳ  １から信号を受信したＭＳ  ２は、受信した信号を下位のＭＳに伝送し、このような方法で、ＭＳ  Ｎまで伝送する。ここで、ＭＳ  ２とＭＳ  Ｎとの間には、多数の端末がｍｕｌｔｉ−ｈｏｐの形態または階層的に接続されていてもよい。
【００２５】
他の一例として、アップリンク伝送の観点で、Ｍ２Ｍ端末間の信号伝送のために、次のように信号を伝送することができる。下位に位置するＭ２Ｍ端末は、上位のＭ２Ｍ端末を用いて、他のＭ２Ｍ端末または基地局に信号を伝送することができる。
【発明の概要】
【発明が解決しようとする課題】
【００２６】
Ｍ２Ｍシステムでは、スマートメータリング（ｓｍａｒｔ  ｍｅｔｅｒｉｎｇ）のように周期的にｔｒａｆｆｉｃが生成されるａｐｐｌｉｃａｔｉｏｎ、すなわち、ｔｉｍｅ  ｃｏｎｔｒｏｌｌｅｄ特性を有するａｐｐｌｉｃａｔｉｏｎを支援するための方法を提供しなければならない。
【００２７】
これを支援する方法の中には、既存のシステムにおいて定義されたｐｅｒｓｉｓｔｅｎｔ  ａｌｌｏｃａｔｉｏｎ方法やｅｒｔＰＳまたはａＧＰサービスなどがあり得る。既存のＰｅｒｓｉｓｔｅｎｔ  Ｓｃｈｅｄｕｌｉｎｇ方法がｔｉｍｅ−ｃｏｎｔｒｏｌｌｅｄ特性を有するｔｒａｆｆｉｃに使用されることができ、該当のｔｒａｆｆｉｃがｔｉｍｅ  ｔｏｌｅｒａｎｔ特性を有してもよい。
【００２８】
このような特性（ｔｉｍｅ  ｃｏｎｔｒｏｌｌｅｄ＆ｔｉｍｅ  ｔｏｌｅｒａｎｔ）を有するトラフィックにＰｅｒｓｉｓｔｅｎｔ  Ｓｃｈｅｄｕｌｉｎｇ方法が使用されるとき、特定の時点に緊急のメッセージを送るために、固定的に割り当てられたリソースを他の端末に割り当てなければならない必要が生じうる。特に、Ｍ２Ｍ  ａｐｐｌｉｃａｔｉｏｎがシステムにおいて支援される場合には、既存のシステムに比べて多くのＭ２Ｍ  ｄｅｖｉｃｅがセル（ｃｅｌｌ）に存在するため、限定されたリソースを效率的に管理しなければならない必要性がある。
【００２９】
既存のＰｅｒｓｉｓｔｅｎｔ  Ｓｃｈｅｄｕｌｉｎｇにおいてリソースを割り当てるために、基地局は、リソース削除を示す（ｉ．ｅ．，ａｌｌｏｃａｔｉｏｎ  ｐｅｒｉｏｄ＝＝０ｂ００）持続リソース割当マップを端末に伝送する。再び割り当てるために、リソース割当を示す持続リソース割当マップを端末に伝送する。
【００３０】
仮に、以上で言及した一回のまたは一時的リソース割当解除が発生する場合にも、既存の方法のように、リソース解除のためのマップを伝送し、次の周期において再び割当てのための持続リソース割当マップを伝送すると、一回のリソース割当時に不要なマップオーバーヘッドが生じうる。
【００３１】
したがって、本明細書は、固定リソース割当に対するリソース割当解除時に、永久的割当解除であるか、または一時的割当解除であるかを指示する情報を端末に伝送することによって、一時的割当解除の場合には、再び持続リソース割当マップの伝送なしに、既存の固定リソース割当を通じてデータを基地局と送受信する方法を提供することに目的がある。
【課題を解決するための手段】
【００３２】
本明細書は、無線接続システムで、固定リソース割当方法において、固定リソース割当情報を含む第１のマップメッセージを基地局から受信するステップと、前記固定リソース割当情報に含まれた固定リソース領域を通じて前記基地局とデータバーストを送受信するステップと、固定リソース割当解除タイプ情報を含む第２のマップメッセージを基地局から受信するステップと、を含み、前記固定リソース割当解除タイプ情報は、固定的に割り当てられたリソースの割当解除が永久的（ｐｅｒｍａｎｅｎｔ）割当解除であるか、または一時的（ｔｅｍｐｏｒａｌ）割当解除であるかを指示する情報であることを特徴とする。
【００３３】
また、前記固定リソース割当情報は、固定リソース割当周期情報（Ａｌｌｏｃａｔｉｏｎ  ｐｅｒｉｏｄ）をさらに含み、前記固定リソース割当周期情報が、固定的に割り当てられたリソースの割当解除を指示する場合、前記固定リソース割当解除タイプ情報が前記第２のマップメッセージに含まれることを特徴とする。
【００３４】
また、前記固定割当解除タイプ情報が、固定的に割り当てられたリソースの一時的割当解除を指示する場合、前記第２のマップメッセージは、固定リソース割当解除区間情報（Ｎｕｍ  ｄｅ−ａｌｌｏｃａｔｉｏｎ）をさらに含むことを特徴とする。
【００３５】
また、前記固定リソース割当解除区間情報は、前記一時的割当解除が持続する区間の長さを示し、前記区間の長さは、フレーム単位で定義されることを特徴とする。
【００３６】
また、前記固定リソース割当解除区間の後に、前記第１のマップメッセージに含まれた固定リソース領域を通じて前記基地局とデータバーストを送受信することを特徴とする。
【００３７】
また、前記固定リソース割当解除区間においてリソース割当情報を含む第３のマップメッセージを前記基地局から受信するステップと、前記リソース割当情報に含まれたリソース割当領域を通じて、前記基地局へアップリンクデータバーストを伝送するステップとをさらに含んでなることを特徴とする。
【００３８】
また、前記第１のマップメッセージ及び第２のマップメッセージは、固定割当Ａ−ＭＡＰ（Ｐｅｒｓｉｓｔｅｎｔ  Ａｌｌｏｃａｔｉｏｎ  Ａ−ＭＡＰ）であることを特徴とする。
【００３９】
また、前記第３のマップメッセージは、基本割当マップ情報要素（Ｂａｓｉｃ  Ａｓｓｉｇｎｍｅｎｔ  Ａ−ＭＡＰ  ＩＥ）であることを特徴とする。
【００４０】
また、前記一時的割当解除は、一回のリソース割当解除（ｏｎｅ  ｔｉｍｅ  ｄｅ−ａｌｌｏｃａｔｉｏｎ）であることを特徴とする。
【００４１】
また、本明細書は、無線接続システムで、固定リソース割当を行う端末において、外部と無線信号を送受信するための無線通信部と、前記無線通信部と接続されている制御部と、を含み、前記制御部は、固定リソース割当情報を含む第１のマップメッセージを基地局から受信するように前記無線通信部を制御し、前記固定リソース割当情報に含まれた固定リソース領域を通じて、前記基地局とデータバーストを送受信するように前記無線通信部を制御し、固定リソース割当解除タイプ情報を含む第２のマップメッセージを基地局から受信するように前記無線通信部を制御し、前記固定リソース割当解除タイプ情報は、固定的に割り当てられたリソースの割当解除が、永久的（ｐｅｒｍａｎｅｎｔ）割当解除であるか、または一時的（ｔｅｍｐｏｒａｌ）割当解除であるかを指示する情報であることを特徴とする。
【００４２】
また、前記固定リソース割当情報は、固定リソース割当周期情報（Ａｌｌｏｃａｔｉｏｎ  ｐｅｒｉｏｄ）をさらに含み、前記固定リソース割当周期情報が、固定的に割り当てられたリソースの割当解除を指示する場合、前記固定リソース割当解除タイプ情報が前記第２のマップメッセージに含まれることを特徴とする。
【００４３】
また、前記固定割当解除タイプ情報が、固定的に割り当てられたリソースの一時的割当解除を指示する場合、前記第２のマップメッセージは、固定リソース割当解除区間情報（Ｎｕｍ  ｄｅ−ａｌｌｏｃａｔｉｏｎ）をさらに含むことを特徴とする。
【００４４】
また、前記固定リソース割当解除区間情報は、前記一時的割当解除が持続する区間の長さを示し、前記区間の長さは、フレーム単位で定義されることを特徴とする。
【００４５】
また、前記制御部は、前記固定リソース割当解除区間の後に、前記第１のマップメッセージに含まれた固定リソース領域を通じて前記基地局とデータバーストを送受信するように前記無線通信部を制御することを特徴とする。
【００４６】
また、前記制御部は、前記固定リソース割当解除区間においてリソース割当情報を含む第３のマップメッセージを前記基地局から受信するように前記無線通信部を制御し、前記リソース割当情報に含まれたリソース割当領域を通じて、前記基地局へアップリンクデータバーストを伝送するように前記無線通信部を制御することを特徴とする。
【発明の効果】
【００４７】
本明細書は、固定リソース割当解除タイプを示す情報をＰＡ  Ａ−ＭＡＰに含んで端末に共に伝送することによって、一回のまたは一時的持続（または固定）リソース割当解除時に発生する不要なＰＡ  Ａ−ＭＡＰオーバーヘッドを減らすことができる効果がある。
【００４８】
一例として、一回のリソース解除時に、端末に、固定リソース割当解除が一回のみ発生するという情報を共に知らせる場合、端末へ伝送するマップオーバーヘッドが既存より５０％（２回伝送から１回伝送に）減ることができる効果がある。
【図面の簡単な説明】
【００４９】
【図１】フレーム構造の一例を示す図である。
【図２】本明細書の一実施例に係る固定リソース割当方法を示す図である。
【図３】本明細書のさらに他の一実施例に係るアップリンク基本割当マップ情報要素（ＵＬ  Ｂａｓｉｃ  Ａｓｓｉｇｎｍｅｎｔ  Ａ−ＭＡＰ  ＩＥ）を通じて、固定リソース割当解除区間において基地局にアップリンクデータバースト（ＵＬ  ｄａｔａ  ｂｕｒｓｔ）を伝送する方法を示すフローチャートである。
【図４】本明細書の一実施例に係る固定リソース割当解除タイプ情報が固定割当リソースに対するｐｅｒｍａｎｅｎｔ  ｄｅ−ａｌｌｏｃａｔｉｏｎを指示する場合の固定リソース割当方法を示す図である。
【図５】本明細書の一実施例に係る固定リソース割当解除タイプ情報が固定割当リソースに対する一回の割当解除（ｏｎｅ  ｔｉｍｅ  ｄｅ−ａｌｌｏｃａｔｉｏｎ）を指示する場合の固定リソース割当方法を示す図である。
【図６】本明細書の一実施例に係る固定リソース割当解除タイプ情報が一時的リソース割当解除（Ｔｅｍｐｏｒａｌ  ｄｅ−ａｌｌｏｃａｔｉｏｎ）を指示する場合の固定リソース割当方法を示す図である。
【図７】本明細書の一実施例に係る無線通信システムを示すブロック図である。
【発明を実施するための形態】
【００５０】
以下、本明細書に係る実施例を添付の図面を参照して詳細に説明する。下記の説明では、本明細書に係る動作を理解するのに必要な部分のみが説明され、その他の部分の説明は、本明細書の要旨を曖昧にしないように省略されるということに留意すべきである。
【００５１】
以下の各実施例は、本発明の構成要素と特徴が所定形態で結合されたものである。各構成要素または特徴は、別途の明示的な言及がない限り、選択的なものとして考慮しなければならない。各構成要素または特徴は、他の構成要素や特徴と結合されない形態で実施することができる。また、一部の構成要素及び／または特徴を結合して本発明の実施例を構成することも可能である。本発明の各実施例で説明される動作の順序は変更可能である。ある実施例の一部構成や特徴は、他の実施例に含まれてもよく、他の実施例の対応する構成または特徴に取って代わることもできる。
【００５２】
本明細書での実施例は、基地局と端末との間のデータ送受信関係を中心に説明する。ここで、基地局は、端末と直接的に通信を行うネットワークの終端ノード（ｔｅｒｍｉｎａｌ  ｎｏｄｅ）としての意味を有する。本文書で、基地局により行われると説明された特定動作は、場合によっては基地局の上位ノード（ｕｐｐｅｒ  ｎｏｄｅ）により行われてもよい。
【００５３】
すなわち、基地局を含む多数のネットワークノード（ｎｅｔｗｏｒｋ  ｎｏｄｅｓ）からなるネットワークにおいて端末との通信のために行われる様々な動作は、基地局または基地局以外の他のネットワークノードにより行われうることは自明である。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【００５４】
本明細書の各実施例は、様々な手段を通じて具現することができる。例えば、本明細書の各実施例は、ハードウェア、ファームウエア（ｆｉｒｍｗａｒｅ）、ソフトウェア、またはそれらの結合などにより具現することができる。
【００５５】
ハードウェアによる具現の場合、本明細書の各実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【００５６】
ファームウエアやソフトウェアによる具現の場合、本明細書の各実施例に係る方法は、以上で説明された機能または動作を行うモジュール、手順または関数などの形態で具現することができる。ソフトウェアコードは、メモリユニットに格納されて、プロセッサにより駆動され得る。前記メモリユニットは、前記プロセッサの内部または外部に位置し、既に公知の様々な手段により前記プロセッサとデータを交換することができる。
【００５７】
以下の説明で使用される特定用語は、本明細書の理解を助けるために提供されたものであって、このような特定用語の使用は、本明細書の技術的思想を逸脱しない範囲で他の形態に変更可能である。
【００５８】
Ｐｅｒｓｉｓｔｅｎｔ  Ｓｃｈｅｄｕｌｉｎｇ
８０２．１６ｅまたは１６ｍでのＰｅｒｓｉｓｔｅｎｔ  Ｓｃｈｅｄｕｌｉｎｇは、ＶｏＩＰのように相対的に固定されたパケットの大きさを有し、周期的なトラフィックパターンを有する接続に対してリソースを割り当てる時、リソース割当オーバーヘッドを減らすために提案された技術である。
【００５９】
持続的（または固定的）なリソース割当のために、持続リソース割当マップ（ｅ．ｇ．，ＤＬ／ＵＬ  ｐｅｒｓｉｓｔｅｎｔ  ａｌｌｏｃａｔｉｏｎ  ＭＡＰ／Ａ−ＭＡＰ  ＩＥ）を端末に伝送する。この持続リソース割当制御情報を通じて割り当てられたリソースは、該当の制御情報マップに含まれた情報を通じて、他の制御情報なしに、周期性を持ってリソースが割り当てられる。
【００６０】
すなわち、割り当てられた持続リソースが、再び、解除、変更またはエラーが発生するまでに維持される。例えば、リソースを解除するための持続リソース割当マップを伝達すると、割り当てられたリソースは解除される。
【００６１】
下記の表１は、８０２．１６ｍで定義しているＤＬ  Ｐｅｒｓｉｓｔｅｎｔ  Ａｌｌｏｃａｔｉｏｎ  Ａ−ＭＡＰフォーマットの一例を示す。
【００６２】
【表１−１】
2013524719.tif 000003
【００６３】
【表１−２】
2013524719.tif 000004
【００６４】
表１を参照すると、ａｌｌｏｃａｔｉｏｎ  ｐｅｒｉｏｄは、マップで割り当てられたリソースが再び割り当てられる周期を示す。例えば、ａｌｌｏｃａｔｉｏｎ  ｐｅｒｉｏｄ値が、‘０ｂ１０’に設定されると、４フレームの後に、同じサブフレームの同じリソース位置でリソースが割り当てられることを示す。ａｌｌｏｃａｔｉｏｎ  ｐｅｒｉｏｄ値が、‘０ｂ００’に設定されると、該当のリソースが削除されることを示す。
【００６５】
以下、本明細書で提案する固定リソース割当方法において、一回のまたは一時的リソース割当解除によって発生するＰＡ  Ａ−ＭＡＰ伝送に対するオーバーヘッドを減らす方法について具体的に説明する。
【００６６】
まず、本明細書で提案する方法は、時間に敏感でない（ｔｉｍｅ  ｔｏｌｅｒａｎｔ）特性を有するＭ２Ｍ（Ｍａｃｈｉｎｅ  ｔｏ  Ｍａｃｈｉｎｅ）装置の固定的（持続的）リソース割当の場合に有用に活用されることができる。
【００６７】
図２は、本明細書の一実施例に係る固定リソース割当方法を示す図である。
【００６８】
図２を参照すると、端末は、固定リソース割当情報を含む第１のマップメッセージを基地局から受信する（Ｓ２０１）。ここで、前記第１のマップメッセージは、ＤＬ／ＵＬ  ＰＡ  Ａ−ＭＡＰを意味する。しかし、前記第１のマップメッセージがＤＬ／ＵＬ  ＰＡ  Ａ−ＭＡＰに限定されず、ＭＡＣ  ｃｏｎｔｒｏｌ  ｍｅｓｓａｇｅまたはヘッダー（Ｈｅａｄｅｒ）であってもよい。
【００６９】
また、前記固定リソース割当情報は、上述したように、ＤＬ／ＵＬ  ＰＡ  Ａ−ＭＡＰに含まれる固定リソース割当周期情報（Ａｌｌｏｃａｔｉｏｎ  Ｐｅｒｉｏｄ）、固定リソースが割り当てられる領域情報（Ｒｅｓｏｕｒｃｅ  Ｉｎｄｅｘ）などを含む。
【００７０】
次に、端末は、前記固定リソース割当情報に含まれた固定リソース領域を通じて、基地局と固定的にダウンリンクまたはアップリンクデータバーストを送受信する（Ｓ２０２）。
【００７１】
その後、端末が、固定リソース割当解除タイプ情報を含む第２のマップメッセージを、基地局から受信する（Ｓ２０３）。前記第２のマップメッセージは、ＤＬ／ＵＬ  ＰＡ  Ａ−ＭＡＰを意味する。この場合、前記ＰＡ  Ａ−ＭＡＰに含まれた前記固定リソース割当周期情報は、一例として、‘Ｏｂ００’（Ｄｅ−ａｌｌｏｃａｔｉｏｎ）に設定される。
【００７２】
前記ＰＡ  Ａ−ＭＡＰに含まれる固定リソース割当解除タイプ情報（Ｄｅ−ａｌｌｏｃａｔｉｏｎ  Ｔｙｐｅ）は、固定的に割り当てられたリソースの割当解除が、永久的割当解除（ｐｅｒｍａｎｅｎｔ  ｄｅ−ａｌｌｏｃａｔｉｏｎ）であるか、または一時的（ｔｅｍｐｏｒａｌ）割当解除であるかを示す。
【００７３】
ここで、一時的割当解除は、リソースが一回のみ割当解除されることを含む。
【００７４】
すなわち、前記一時的割当解除は、固定リソース割当解除が一つのフレーム区間のみ発生する場合、または連続して多数のフレーム区間で発生する場合であってもよい。
【００７５】
固定リソース割当解除が連続して多数のフレーム区間で発生する場合、前記第２のマップメッセージは、ｄｅ−ａｌｌｏｃａｔｉｏｎが何回連続して発生するかを示すリソース割当解除区間情報（Ｎｕｍ  ｄｅ−ａｌｌｏｃａｔｉｏｎ）（一例として、リソース割当解除フレームの個数）情報を含むことになる。
【００７６】
したがって、端末は、基地局から受信するＤＬ／ＵＬ  ＰＡ  Ａ−ＭＡＰに含まれた固定リソース割当解除タイプ情報に基づいて、すなわち、１）既に割り当てられた固定リソースがＰＡ  Ａ−ＭＡＰの受信時点で永久的に解除される場合には、再び固定リソース割当が必要なとき、帯域幅要請過程（Ｂａｎｄｗｉｄｔｈ  Ｒｅｑｕｅｓｔ  Ｐｒｏｃｅｄｕｒｅ）を通じて基地局から固定リソースを再び割り当てられたり、２）固定的に割り当てられたリソースが一時的割当解除である場合には、前記一時的割当解除の後、次の周期に、以前に割り当てられた固定リソース領域を通じて基地局とデータバーストを送受信できるようになる。
【００７７】
図３は、本明細書のさらに他の一実施例に係るアップリンク基本割当マップ情報要素（ＵＬ  Ｂａｓｉｃ  Ａｓｓｉｇｎｍｅｎｔ  Ａ−ＭＡＰ  ＩＥ）を通じて固定リソース割当解除区間で基地局にアップリンクデータバースト（ＵＬ  ｄａｔａ  ｂｕｒｓｔ）を伝送する方法を示すフローチャートである。
【００７８】
Ｓ３０１〜Ｓ３０３ステップは、図２のＳ２０１〜Ｓ２０３ステップと同一であるので、同一の部分については説明を省略し、異なる部分についてのみ説明する。
【００７９】
端末は、基地局から、固定リソースの一時的割当解除を指示する固定リソース割当解除タイプ情報を含むＰＡ  Ａ−ＭＡＰを受信した場合、前記一時的割当解除区間において基地局からＵＬ  Ｂａｓｉｃ  Ａｓｓｉｇｎｍｅｎｔ  Ａ−ＭＡＰ  ＩＥを受信する（Ｓ３０４）。
【００８０】
その後、端末は、前記受信されたＵＬ  Ｂａｓｉｃ  Ａｓｓｉｇｎｍｅｎｔ  Ａ−ＭＡＰ  ＩＥを通じて割り当てられたリソース領域を通じて基地局にアップリンクデータバーストを伝送する（Ｓ３０５）。
【００８１】
下記の表２は、本明細書の一実施例に係るリソース割当解除タイプ情報（Ｄｅ−ａｌｌｏｃａｔｉｏｎ  Ｔｙｐｅ）が含まれたＤＬ／ＵＬ  ＰＡ  Ａ−ＭＡＰフォーマットの一例を示す。
【００８２】
【表２】
2013524719.tif 000005
【００８３】
表２を参照すると、ＤＬ／ＵＬ  ＰＡ  Ａ−ＭＡＰは、固定リソース割当解除を指示する割当周期情報が設定された場合、前記リソース割当解除が一回であるか、または永久的であるかを指示するリソース割当解除タイプ情報を含む。
【００８４】
一例として、前記リソース割当解除タイプ情報（Ｄｅ−ａｌｌｏｃａｔｉｏｎ  ｔｙｐｅ）が、‘０ｂ０’に設定された場合、永久的なリソース割当解除を指示する。すなわち、Ｐｅｒｍａｎｅｎｔ  ｄｅ―ａｌｌｏｃａｔｉｏｎである場合には、ｄｅ−ａｌｌｏｃａｔｉｏｎが続くことを示す。この場合、基地局は、再びｐｅｒｓｉｓｔｅｎｔ  ｒｅｓｏｕｒｃｅを端末に割り当てるためには、ｐｅｒｓｉｓｔｅｎｔ  ａｌｌｏｃａｔｉｏｎ  Ａ−ＭＡＰを再び端末に伝送しなければならない。
【００８５】
また、前記リソース割当解除タイプ情報（Ｄｅ−ａｌｌｏｃａｔｉｏｎ  ｔｙｐｅ）が、‘０ｂ１’に設定された場合、一回のみリソース割当解除が発生することを指示する。すなわち、Ｏｎｅ−ｔｉｍｅ  ｄｅ−ａｌｌｏｃａｔｉｏｎである場合には、ｄｅ−ａｌｌｏｃａｔｉｏｎが該当のＰＡ  Ａ−ＭＡＰが伝送される時点に一回のみ行われ、次の周期からは、以前に使用していたｐｅｒｓｉｓｔｅｎｔ  ａｌｌｏｃａｔｉｏｎを使用し続けることができることを示す。
【００８６】
永久的割当解除（Ｐｅｒｍａｎｅｎｔ  ｄｅ−ａｌｌｏｃａｔｉｏｎ）
本明細書で提案するリソース割当解除タイプ情報が永久的リソース解除を指示する場合、固定リソース割当方法について説明する。
【００８７】
図４は、本明細書の一実施例に係る固定リソース割当解除タイプ情報が固定割当リソースに対するｐｅｒｍａｎｅｎｔ  ｄｅ−ａｌｌｏｃａｔｉｏｎを指示する場合の固定リソース割当方法を示すフローチャートである。
【００８８】
図４を参照すると、端末が、固定リソース（ｐｅｒｓｉｓｔｅｎｔ  ｒｅｓｏｕｒｃｅ）に対して基地局からリソース割当解除（ｄｅ−ａｌｌｏｃａｔｉｏｎ）を指示する（一例として、Ａｌｌｏｃａｔｉｏｎ  ｐｅｒｉｏｄ  ‘０ｂ００’に設定）Ｐｅｒｓｉｓｔｅｎｔ  Ａｌｌｏｃａｔｉｏｎ  Ａ−ＭＡＰを受信する。この場合、前記ＰＡ  Ａ−ＭＡＰは、ｄｅ−ａｌｌｏｃａｔｉｏｎタイプ情報を含む。
【００８９】
ここで、前記ｄｅ−ａｌｌｏｃａｔｉｏｎタイプが永久的解除（Ｐｅｒｍａｎｅｎｔ  ｄｅ−ａｌｌｏｃａｔｉｏｎ）を指示する場合、端末は、基地局から、Ｐｅｒｓｉｓｔｅｎｔ  ａｌｌｏｃａｔｉｏｎ  Ａ−ＭＡＰを再び受信するまで、割り当てられた固定リソースが完全に解除されるものと判断する。
【００９０】
その後、端末は、再び基地局に伝送するパケットが発生する場合、基地局からリソース割当の要請を受けるために帯域幅要請過程（ｂａｎｄｗｉｄｔｈ  ｒｅｑｕｅｓｔ  ｐｒｏｃｅｄｕｒｅ）を開始する。
【００９１】
この場合、基地局は、Ｐｅｒｓｉｓｔｅｎｔ  ａｌｌｏｃａｔｉｏｎ  Ａ−ＭＡＰを端末へ伝送することによって、端末に固定リソースを割り当てる。
【００９２】
一回の割当解除（Ｏｎｅ−ｔｉｍｅ  ｄｅ−ａｌｌｏｃａｔｉｏｎ）
図５は、本明細書の一実施例に係る固定リソース割当解除タイプ情報が固定割当リソースに対する一回の割当解除（ｏｎｅ  ｔｉｍｅ  ｄｅ−ａｌｌｏｃａｔｉｏｎ）を指示する場合の固定リソース割当方法を示す図である。
【００９３】
図５を参照すると、端末が、基地局から、Ｏｎｅ−ｔｉｍｅ  ｄｅ−ａｌｌｏｃａｔｉｏｎを指示する固定リソース割当解除タイプ情報（Ｄｅ−ａｌｌｏｃａｔｉｏｎ  Ｔｙｐｅ）を含むＰＡ  Ａ−ＭＡＰを受信する場合、端末は、前記ＰＡ  Ａ−ＭＡＰを基地局から受信した時点に一回のみｐｅｒｓｉｓｔｅｎｔ  ｒｅｓｏｕｒｃｅがｄｅ−ａｌｌｏｃａｔｉｏｎされるということが分かる。ここで、前記ＰＡ  Ａ−ＭＡＰを受信した時点は、ＰＡ  Ａ−ＭＡＰを受信したフレームであってもよい。
【００９４】
したがって、端末は、前記ＰＡ  Ａ−ＭＡＰを受信した時点でのみリソースを利用せずに、既存のｐｅｒｓｉｓｔｅｎｔ  ａｌｌｏｃａｔｉｏｎに関連したパラメータを維持し続ける。
【００９５】
すなわち、端末は、リソース割当解除が発生した場合でも、基地局にリソース割当を要請するために、帯域幅要請（ＢＲ）を行わずに、リソース割当解除後の次の周期に既存のｐｅｒｓｉｓｔｅｎｔ  ｒｅｓｏｕｒｃｅを用いて、生成されたパケットを伝送する。
【００９６】
ここで、特定の端末にｏｎｅ−ｔｉｍｅ  ｄｅ−ａｌｌｏｃａｔｉｏｎを行った基地局は、端末が伝送できなかったパケットを伝送できるように、ｏｎｅ  ｔｉｍｅ  ｄｅ−ａｌｌｏｃａｔｉｏｎ時点の以降に次の伝送周期の前まで、アップリンク基本割当マップ情報要素（ＵＬ  ｂａｓｉｃ  ａｓｓｉｇｎｍｅｎｔ  Ａ−ＭＡＰ  ＩＥ）を端末に伝送することによって、端末にリソースを割り当てることもできる。
【００９７】
すなわち、ｏｎｅ−ｔｉｍｅ  ｄｅ−ａｌｌｏｃａｔｉｏｎされた端末は、次の伝送周期の前まで、基地局からアップリンク基本割当マップ情報要素（ＵＬ  ｂａｓｉｃ  ａｓｓｉｇｎｍｅｎｔ  Ａ−ＭＡＰ  ＩＥ）を受信することによって、リソースを割り当てられることを期待することができる。
【００９８】
また、Ｏｎｅ−ｔｉｍｅ  ｄｅ−ａｌｌｏｃａｔｉｏｎを含んだＰｅｒｓｉｓｔｅｎｔ  ａｌｌｏｃａｔｉｏｎ  Ａ−ＭＡＰを受けた端末が、該当の時点に伝送するパケットを有していても、直ちにｂａｎｄｗｉｄｔｈ  ｒｅｑｕｅｓｔ  ｐｒｏｃｅｄｕｒｅを行わずに、一定時間の間（次の伝送周期まで）基地局からｇｒａｎｔされることを待つ。
【００９９】
仮に、定められた時間の間ｇｒａｎｔを待ったが、基地局からｇｒａｎｔを受けられないと、端末は、基地局に、再び帯域幅を要請する過程を通じてリソースを割り当てられることができる。
【０１００】
一時的割当解除（Ｔｅｍｐｏｒａｌ  ｄｅ−ａｌｌｏｃａｔｉｏｎ）
下記の表３は、本明細書の一実施例に係るリソース割当解除タイプ情報及びリソース割当解除区間情報（Ｎｕｍ  ｄｅ−ａｌｌｏｃａｔｉｏｎ）が含まれたＤＬ／ＵＬ  ＰＡ  Ａ−ＭＡＰフォーマットのさらに他の一例を示す。
【０１０１】
【表３】
2013524719.tif 000006
【０１０２】
上記の表３は、リソース割当解除タイプ情報に上記表２のＯｎｅ  ｔｉｍｅ  ｄｅ−ａｌｌｏｃａｔｉｏｎの代りに、Ｔｅｍｐｏｒａｌ  ｄｅ−ａｌｌｏｃａｔｉｏｎが使用される場合を示す。
【０１０３】
すなわち、上記の表３は、リソース割当解除タイプ情報が、リソース割当解除が永久的または一時的解除であることを指示し、前記一時的解除であることを指示する場合、リソース割当解除が連続してどれくらい持続するかを示すリソース割当解除区間情報（Ｎｕｍ  ｄｅ−ａｌｌｏｃａｔｉｏｎ）を含む場合を示す。
【０１０４】
一例として、リソース割当解除タイプ情報（Ｄｅ−ａｌｌｏｃａｔｉｏｎ  Ｔｙｐｅ）が、‘０ｂ１’に設定された場合、ｄｅ−ａｌｌｏｃａｔｉｏｎが一時的に発生することを示す。
【０１０５】
このとき、何回のｄｅ−ａｌｌｏｃａｔｉｏｎが連続して発生するかに対する情報（Ｎｕｍ  ｄｅ−ａｌｌｏｃａｔｉｏｎ）がＰＡ  Ａ−ＭＡＰに含まれる。
【０１０６】
前記Ｎｕｍ  ｄｅ−ａｌｌｏｃａｔｉｏｎ情報は、ＰＡ  Ａ−ＭＡＰが受信されたフレームから始めて何番目のフレームまでリソース割当が解除されるかを示す。
【０１０７】
ここで、Ｎｕｍ  ｄｅ−ａｌｌｏｃａｔｉｏｎ情報がＮ回を示す場合、端末は、Ｎ回のｄｅ−ａｌｌｏｃａｔｉｏｎの後、以前のｐｅｒｓｉｓｔｅｎｔ  ａｌｌｏｃａｔｉｏｎが自動的に適用される。
【０１０８】
特定の端末にＴｅｍｐｏｒａｌ  ｄｅ−ａｌｌｏｃａｔｉｏｎを行った基地局は、端末が伝送できなかったパケットを伝送できるように、Ｔｅｍｐｏｒａｌ  ｄｅ−ａｌｌｏｃａｔｉｏｎ時点の以降に次のＰｅｒｓｉｓｔｅｎｔ  Ａｌｌｏｃａｔｉｏｎが始まるまで、アップリンク基本割当マップ情報要素（ＵＬ  ｂａｓｉｃ  ａｓｓｉｇｎｍｅｎｔ  Ａ−ＭＡＰ  ＩＥ）を使用して端末にリソースを割り当てることができる。
【０１０９】
Ｔｅｍｐｏｒａｌ  ｄｅ−ａｌｌｏｃａｔｉｏｎが行われた端末は、次のＰｅｒｓｉｓｔｅｎｔ  ａｌｌｏｃａｔｉｏｎが始まるまで、基地局から、アップリンク基本割当マップ情報要素（ＵＬ  ｂａｓｉｃ  ａｓｓｉｇｎｍｅｎｔ  Ａ−ＭＡＰ  ＩＥ）を使用してリソースを割り当てられることを期待することができる。
【０１１０】
図６は、本明細書の一実施例に係る固定リソース割当解除タイプ情報が一時的リソース割当解除（Ｔｅｍｐｏｒａｌ  ｄｅ−ａｌｌｏｃａｔｉｏｎ）を指示する場合の固定リソース割当方法を示す図である。
【０１１１】
図６を参照すると、基地局が端末へリソース割当解除タイプ情報を、一例として、‘０ｂ１’（Ｔｅｍｐｏｒａｌ  ｄｅ−ａｌｌｏｃａｔｉｏｎ）に設定してＰＡ  Ａ−ＭＡＰを伝送することが見られる。
【０１１２】
図６に示すように、一時的リソース割当解除区間は、前記ＰＡ  Ａ−ＭＡＰを受信したフレームから２フレーム間維持される。すなわち、端末は、前記ＰＡ  Ａ−ＭＡＰを受信したフレームから連続した２フレーム間固定リソースがｄｅ−ａｌｌｏｃａｔｉｏｎされ、その次の周期から再び固定リソース（ｐｅｒｓｉｓｔｅｎｔ  ｒｅｓｏｕｒｃｅ）が端末に割り当てられる。
【０１１３】
図７は、本明細書の一実施例に係る無線通信システムを示すブロック図である。
【０１１４】
基地局７１０は、制御部７１１、メモリ７１２及び無線通信（ＲＦ）部（ｒａｄｉｏ  ｆｒｅｑｕｅｎｃｙ  ｕｎｉｔ）７１３を含む。
【０１１５】
制御部７１１は、提案された機能、過程及び／または方法を具現する。無線インターフェースプロトコルの層は、制御部７１１により具現されることができる。
【０１１６】
制御部７１１は、永久的または一時的リソース割当解除を指示するリソース割当解除タイプ情報を含むＰＡ  Ａ−ＭＡＰを端末に伝送するように無線通信部を制御することができる。
【０１１７】
メモリ７１２は、制御部７１１と接続され、Ｅ−ＭＢＳ関連パラメータアップデートのためのプロトコルやパラメータを格納する。ＲＦ部７１３は、制御部７１１と接続され、無線信号を送信及び／または受信する。
【０１１８】
端末７２０は、制御部７２１、メモリ７２２及び無線通信（ＲＦ）部７２３を含む。
【０１１９】
制御部７２１は、提案された機能、過程及び／または方法を具現する。無線インターフェースプロトコルの層は、制御部７２１により具現されることができる。
【０１２０】
制御部７２１は、固定リソース割当解除が一時的解除であることを指示するリソース割当解除タイプ情報を含むＰＡ  Ａ−ＭＡＰを受信する場合、一時的解除区間の以降、既に割り当てられた固定リソース領域を通じて基地局とデータバーストを送受信するように無線通信部を制御することができる。
【０１２１】
メモリ７２２は、制御部７２１と接続され、Ｅ−ＭＢＳ関連パラメータアップデートのためのプロトコルやパラメータを格納する。ＲＦ部７２３は、制御部７２１と接続され、無線信号を送信及び／または受信する。
【０１２２】
制御部７１１，７２１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ７１２，７２２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部７１３，７２３は、無線信号を処理するためのベースバンド回路を含むことができる。実施例がソフトウェアで具現されるとき、上述した技法は、上述した機能を行うモジュール（過程、機能など）で具現され得る。モジュールは、メモリ７１２，７２２に格納され、制御部７１１，７２１により実行されることができる。メモリ７１２，７２２は、制御部７１１，７２１の内部または外部に設けることができ、よく知らされた多様な手段で制御部７１１，７２１と接続されることができる。
【図１】
2013524719.tif 000007
【図２】
2013524719.tif 000008
【図３】
2013524719.tif 000009
【図４】
2013524719.tif 000010
【図５】
2013524719.tif 000011
【図６】
2013524719.tif 000012
【図７】
2013524719.tif 000013
【国際調査報告】
2013524719.tif 000014
2013524719.tif 000015
2013524719.tif 000016
2013524719.tif 000017